(57)【特許請求の範囲】
【請求項１】
フローリング平坦細条の縦方向に順次互いに離して配置し、横方向に配列するフローリング平坦細条を支持するよう基礎平面上に設ける根太構造の根太モジュールにおいて、
フローリング支持面、互いに側方に隣接するフローリング平坦細条の縦方向側面の組立溝に掛合するフック部を有するフック突条手段、及びばね係止手段を設けたフローリング支持ピースと、
前記フローリング支持ピースのフック突条手段が両側からフローリング平坦細条の組立溝に掛合するよう前記フローリング支持ピースを順次横方向に隣接させ、前記ピースのばね係止手段にかけ渡し、順次のピース相互を互いに引き寄せて連結する引張ばねと
により構成し、
前記フローリング支持ピースを、
フローリング支持面、互いに側方に隣接するフローリング平坦細条の縦方向側面の組立溝にそれぞれ掛合するフック部を有して前記フローリング支持面の中間部分から突出するＴ字状のフック突条手段、及びばね係止手段を有する中間ピースと、
前記中間ピースのフローリング支持面と同一レベルのフローリング支持面、側方端縁をなすフローリング平坦細条の組立溝に掛合するフック部を有して前記フローリング支持面の側方端縁から突出する倒立Ｌ字状のフック突条手段、及びばね係止手段を有する端部ピースと
により構成したことを特徴とするフローリング根太構造の根太モジュール。
【請求項２】
前記中間ピースを、横方向の幅が広いフローリング支持面を有する第１中間ピースと、横方向の幅が狭いフローリング支持面を有する第２中間ピースとにより構成し、前記端部ピースとして、横方向の幅が広いフローリング支持面を有する第１端部ピース、及び横方向の幅が狭いフローリング支持面を有する第２端部ピースを設け、前記第１中間ピース及び第２中間ピースをフローリング平坦細条の横方向に交互に継ぎ足し、根太モジュール組立体の両側の端部には、前記第１端部ピース又は第２端部ピースのいずれかを配置し、前記引張ばねによって順次のピース相互を互いに引き寄せて連結するようにした請求項１記載のフローリング根太構造の根太モジュール。
【請求項３】
前記ばね係止手段を、前記フローリング平坦細条の縦方向に指向する前記フローリング支持ピースの側面に設けたばね係止金具により構成した請求項１または２に記載のフローリング根太構造の根太モジュール。
【請求項４】
前記ばね係止手段を、前記フローリング支持ピースの前記フローリング支持面又はフローリング支持ピースの底面に形成して前記フローリング平坦細条の横方向に指向する側面に開口する少なくとも１個のばね収容窪み、及び前記ばね収容窪みの底面に設けたばね係止金具により構成した請求項１乃至３のうちのいずれか一項に記載のフローリング根太構造の根太モジュール。
【請求項５】
前記フローリング支持ピースの底面に排水溝を設けた請求項１乃至４のうちのいずれか一項に記載のフローリング根太構造の根太モジュール。
【請求項６】
前記フローリング支持ピース相互間の引張ばねの力に抗しての水平方向及び垂直方向の移動を許容範囲内に制限する掛合案内手段を前記フローリング支持ピースの底面に設けた請求項１乃至５のうちのいずれか一項に記載のフローリング根太構造の根太モジュール。
【請求項７】
更に、前記基礎表面から嵩上げして通気性をよくするスペーサ手段を設けた請求項１乃至６のうちのいずれか一項に記載のフローリング根太構造の根太モジュール。
【請求項８】
前記スペーサ手段を、前記端部ピース及び中間ピースの底面自体に設けたスペーサ突起により構成した請求項７記載のフローリング根太構造の根太モジュール。
【請求項９】
前記スペーサ手段を、端部ピース及び中間ピースとは別体のスペーサ構体により構成した請求項７記載のフローリング根太構造の根太モジュール。
【請求項１０】
前記フック突条手段を、前記フローリング支持ピースの材料から一体に加工した請求項１乃至９のうちのいずれか一項に記載のフローリング根太構造の根太モジュール。
【請求項１１】
前記フック突条手段を、前記フローリング支持ピースに連結したフック金具により構成した請求項１乃至９のうちのいずれか一項に記載のフローリング根太構造の根太モジュール。
【発明の詳細な説明】
【０００１】
【発明の属する技術分野】
本発明は、ボードウォーク、バルコニー、渡り廊下のようなウッドデッキのフローリングの基礎構造に使用され、フローリング平坦細条の縦方向に順次互いに離して配置し、横方向に配列したフローリング平坦細条を支持するよう基礎平面上に設ける根太構造の根太モジュールに関するものである。
【０００２】
【従来の技術】
従来は、基礎表面１上に、直接、又は図１に示すように、アンカーボルト２若しくは垂直支柱（図示せず）を介して基礎表面１の上方に間隔を空けてフローリング平坦細条３を横切る方向に所定長さの根太ピース４を複数個継ぎ足して延在させて形成した根太モジュールをフローリング平坦細条３の縦方向に順次互いに離して配置し、フローリングすべき領域の根太構造を構成する。
【０００３】
このような根太構造上にフローリング平坦細条３を敷き並べ、くぎによって根太に打ち付けるか、又は図１に示すように、フローリング平坦細条３の両側の縦方向側面に設けた組立溝５と根太ピース４の両側の側面の組立溝６の双方に掛合するフック金具７によりフローリング平坦細条３と根太ピース４とを連結する。このフック金具７は、例えば、Ｕ字状に打ち抜いた板金のＵ字の脚８を板金の平面に対して同じ方向に直角に折り曲げたチャンネル状部材を形成し、１対のチャンネル状部材のウェブ面９を背中合わせに結合したものを使用する。
【０００４】
【発明が解決しようとする課題】
しかし、従来の根太構造では、フローリング平坦細条及び根太ピースの膨縮を考慮して組み付けないと、フローリングの平面にゆがみや、せり上がりを生ずるおそれがあり、逆にこのようなゆがみや、せり上がりを回避するため隙間を設けて組み付ける場合、特に、乾燥時に隣接のフローリング平坦細条に対して隙間を空けて組み付ける場合、仕上がりの見栄えが悪くなるという欠点がある。
【０００５】
従って、本発明の目的は、乾燥時に隣接のフローリング平坦細条に対して隙間を空けることなく根太構造に組み付けることができ、湿気を含んだときの膨張を許容してゆがみや、せり上がりを生ずることがないようにすることができるフローリングの根太モジュールを得るにある。
【０００６】
【課題を解決するための手段】
この目的を達成するため、本発明は、フローリング平坦細条の縦方向に順次互いに離して配置し、横方向に配列したフローリング平坦細条を支持する根太構造の根太モジュールにおいて、
フローリング支持面、互いに側方に隣接するフローリング平坦細条の縦方向側面の組立溝に掛合するフック部を有するフック突条手段、及びばね係止手段を設けたフローリング支持ピースと、
前記フローリング支持ピースのフック突条手段が両側からフローリング平坦細条の組立溝に掛合するよう前記フローリング支持ピースを順次横方向に隣接させ、前記ピースのばね係止手段にかけ渡し、順次のピース相互を互いに引き寄せて連結する引張ばねとにより構成し、
前記フローリング支持ピースを、
フローリング支持面、互いに側方に隣接するフローリング平坦細条の縦方向側面の組立溝にそれぞれ掛合するフック部を有して前記フローリング支持面の中間部分から突出するＴ字状のフック突条手段、及びばね係止手段を有する中間ピースと、
前記中間ピースのフローリング支持面と同一レベルのフローリング支持面、側方端縁をなすフローリング平坦細条の組立溝に掛合するフック部を有して前記フローリング支持面の側方端縁から突出する倒立Ｌ字状のフック突条手段、及びばね係止手段を有する端部ピースと
により構成したことを特徴とする。
【０００７】
本発明によれば、フローリング支持ピースを順次横方向に隣接させ、引張ばねをフローリング支持ピースのばね係止手段にかけ渡し、順次のピース相互を互いに引き寄せて連結し、このような継ぎ足しによってフローリングすべき領域にわたる長さの根太モジュールを構成する。次に、このような根太モジュールをフローリング平坦細条の縦方向に間隔を空けて順次配列し、根太構造を構成する。最後に、互いに隣接して対向する１対のフローリング支持ピースのフック突条手段のフック部にフローリング平坦細条の両側の縦方向側面の組立溝を滑り込ませることによりフローリング平坦細条を縦方向に隙間なく詰め込む。
【０００８】
本発明によれば、フローリング平坦細条の縦方向の膨張は、根太モジュールのフック突条手段のフック部に沿って摺動することによりせり上がりを回避することができ、またフローリング平坦細条の横方向の膨張は、横方向にフローリング支持ピースを連結する引張ばねが伸張してフローリング支持ピース間の間隔が横方向に広がる移動を生ずることによりせり上がりを回避することができる。
【００１０】
更に、この実施例の場合、中間ピースを、横方向の幅が広いフローリング支持面を有する第１中間ピースと、横方向の幅が狭いフローリング支持面を有する第２中間ピースとにより構成し、前記端部ピースとして、横方向の幅が広いフローリング支持面を有する第１端部ピース、及び横方向の幅が狭いフローリング支持面を有する第２端部ピースを設け、前記第１中間ピース及び第２中間ピースをフローリング平坦細条の横方向に交互に継ぎ足し、根太モジュール組立体の両側の端部には、前記第１端部ピース又は第２端部ピースのいずれかを配置し、前記引張ばねによって順次のピース相互を互いに引き寄せて連結することができる。
【００１１】
本発明の好適な実施例においては、ばね係止手段を、フローリング平坦細条の縦方向に指向するフローリング支持ピースの側面に設けたばね係止金具により構成するか、又は、フローリング支持ピースのフローリング支持面又はフローリング支持ピースの底面に形成してフローリング平坦細条の横方向に指向する側面に開口する少なくとも１個のばね収容窪み、及びばね収容窪みの底面に設けたばね係止金具により構成する。
【００１２】
また、本発明の好適な実施例においては、中間ピース及び前記端部ピースのうち少なくとも中間ピースの底面には排水溝を設ける。好適には、ピース相互間の引張ばねの力に抗しての水平方向及び垂直方向の移動を許容範囲内に制限する掛合案内手段を前記ピースの底面に設ける。
【００１３】
本発明の好適な実施例においては、更に、基礎表面から嵩上げして通気性をよくするスペーサ手段を設ける。このスペーサ手段は、例えば、端部ピース及び中間ピースの底面自体に設けたスペーサ突起により構成するか、又は端部ピース及び中間ピースとは別体のスペーサ構体により構成することができる。
【００１４】
更に、本発明の好適な実施例においては、フック突条手段を、フローリング支持ピースの材料から一体に加工するか、又は、フローリング支持ピースに連結したフック金具により構成する。
【００１５】
【発明の実施の形態】
次に、図面につき本発明の好適な実施の形態を説明する。
【００１６】
本発明の好適な実施の形態の根太モジュール１０は、図２に示すように、順次に鏡対称となるよう互いに隣接させて継ぎ足して根太モジュールを組み立てるフローリング支持ピース１１と、互いに隣接するフローリング支持ピース１１を相互に連結する引張ばね１３とにより構成する。
【００１７】
フローリング支持ピース１１はフローリング支持面１４を有し、また、フローリング平坦細条３の縦方向側面の組立溝５にそれぞれ掛合するフック部１５を有してフローリング支持面１４から突出するフック突条手段１６と、フローリング平坦細条３の縦方向に指向するフローリング支持ピース１１の両側の側面にそれぞれ設けたばね係止手段としてのばね係止金具１８とを設ける。
【００１８】
フローリング支持ピース１１のフック突条手段が両側からフローリング平坦細条の組立溝に掛合するよう、フローリング支持ピース１１を順次横方向に隣接させ、引張ばね１３をフローリング支持ピース１１のばね係止金具１８にかけ渡し、順次のピース相互を互いに引き寄せて連結し、このような継ぎ足しによってフローリングすべき領域にわたる長さの根太モジュールを構成する。次に、このような根太モジュールをフローリング平坦細条３の縦方向に例えば、４５ｃｍ〜５０ｃｍの間隔を空けて順次配列し、根太構造を構成する。最後に、互いに隣接して対向する１対のフローリング支持ピースのフック突条手段１６のフック部１５にフローリング平坦細条３の両側の縦方向側面の組立溝５を滑り込ませる（図４参照）ことによりフローリング平坦細条を縦方向に隙間なく詰め込む。
【００１９】
本発明のこの構成によれば、フローリング平坦細条３の縦方向の膨張は、根太モジュールのフック突条手段１６のフック部１５に沿って摺動することによりせり上がりを回避することができ、またフローリング平坦細条３の横方向の膨張は、横方向にフローリング支持ピース１１を連結する引張ばね１３が伸張してフローリング支持ピース１１間の間隔が横方向に広がる移動を生ずることによりせり上がりを回避する。
【００２０】
フック突条手段１６は、図２の実施の形態のように、フローリング支持ピースに連結したフック金具により構成するか、又は、フローリング支持ピースの材料から一体に加工し、好適には、木材から一体に切削加工する。また、図示の実施の形態に示すような連続的なフック部１５ではなく、不連続のフック部を有する突条手段とすることもできる。
【００２１】
【実施例】
図３に本発明の好適な実施例の根太モジュール１０Ａを示す。この根太モジュール１０Ａでは、フローリング支持ピース１１を、順次隣接させて継ぎ足して根太モジュールを組み立てる中間ピース３１と、根太モジュールにおける両側の端部を構成する端部ピース１２とにより構成する。
【００２２】
中間ピース３１のフック突条手段１６は、フック部１５を有してフローリング支持面１４の中間部分から突出するＴ字状突条１６Ａにより構成する。また、ばね係止手段を、フローリング支持面１４に形成して左右両側の側面に開口するばね収容窪み１７と、ばね収容窪み１７の底面に設けたばね係止金具１８とにより構成する。この実施例の場合、この中間ピース３１はＴ字状突条１６Ａを中心にして鏡対称形状であるため、図２に示すフローリング支持ピース１１のように向きを交互に変えて隣接させる配慮は不要となる。
【００２３】
端部ピース１２は、中間ピース３１のフローリング支持面１４と同一レベルのフローリング支持面１９を有する。端部ピース１２のフック突条手段は、フローリング側方端縁をなすフローリング平坦細条３の組立溝５に掛合するフック部２０を有してフローリング支持面１９の側方端縁から突出する倒立Ｌ字状突条２１により構成する。端部ピース１２のばね係止手段は、フローリング支持面１９に形成して倒立Ｌ字状突条２１側とは反対側の側面に開口するばね収容窪み２２と、ばね収容窪み２２の底面に設けたばね係止金具２３とにより構成する。
【００２４】
図３に示す根太モジュール１０Ａは、順次横方向に隣接するピース１２，３１，３１，…，３１，１２の隣接ピース間で開口部が互いに突き合わせて閉鎖されるばね収容窪み１７，２２内の両側のばね係止金具１８，２３に引張ばね１３をかけ渡し、順次のピース相互を隙間なく互いに引き寄せて連結する。
【００２５】
中間ピース３１及び端部ピース１２に設けるばね係止手段（ばね収容窪み及びばね係止金具）は、フローリング支持面１４，１９ではなく、これらフローリング支持面１４，１９とは反対側のピース底面に設けることもできる。更に、図２の実施の形態のように、各ピース１２，３１の両側の側面にばね係止金具を設けることもできる。
【００２６】
引張ばね１３によって順次横方向に必要な長さとなるよう継ぎ足し連結して構成した根太モジュール１０Ａを、フローリング平坦細条の縦方向に例えば、４５ｃｍ〜５０ｃｍの間隔を空けて順次配列し、根太構造を構成する。
【００２７】
最後に、順次互いに隣接する１対のピース１２，３１，３１，…，３１，１２の倒立Ｌ字状突条２１及びＴ字状突条１６Ａの互いに対向するフック部２０，１５にフローリング平坦細条３の両側の縦方向側面の組立溝５（図１参照）を滑り込ませることによってフローリング平坦細条の縦方向にフローリング平坦細条３を隙間なく詰め込む（図示せず）。
【００２８】
中間ピース３１及び端部ピース１２のうち少なくとも中間ピース３１の底面には少なくとも１個の排水溝２４を設ける。
【００２９】
図４には本発明の他の実施例の根太モジュール１０Ｂを示し、この実施例においては、フローリング支持ピース１１である中間ピース３１を、横方向の幅が広いフローリング支持面を有する第１中間ピース３１Ａと、横方向の幅が狭いフローリング支持面を有する第２中間ピース３１Ｂとにより構成する。また、端部ピース１２として、横方向の幅が広いフローリング支持面を有する第１端部ピース１２Ａ、及び横方向の幅が狭いフローリング支持面を有する第２端部ピース１２Ｂを設ける。
【００３０】
この実施例において、第１中間ピース３１Ａ及び第２中間ピース３１ＢはＴ字状突条１６Ａ，１６Ｂを中心にして鏡対称形状であるため、図３の実施例と同様に、図２に示すフローリング支持ピース１１のように向きを交互に変えて隣接させる配慮は不要となる。更に、図４に示す実施例においては、第１中間ピース３１Ａ及び第２中間ピース３１Ｂをフローリング平坦細条３の横方向に交互に継ぎ足し、根太モジュール組立体の両側の端部には、それぞれ第１端部ピース１２Ａ及び第２端部ピース１２Ｂを配置し、引張ばね１３によって順次のピース１２Ｂ，３１Ａ，３１Ｂ，…，３１Ａ，３１Ｂ，１２Ａ相互を互いに引き寄せて連結する。
【００３１】
図４に示す実施例の場合、  ピース１２Ｂ，３１Ａ，３１Ｂ，…，３１Ａ，３１Ｂ，１２Ａ相互間の引張ばね１３の力に抗しての水平方向及び垂直方向の移動を許容範囲内に制限する掛合案内手段２５をピース３１，１２の底面に設ける。この掛合案内手段２５は、相互に掛合する溝‐突起構成とする。
【００３２】
好適な実施例においては、基礎表面から嵩上げして通気性をよくするスペーサ手段を設ける。このスペーサ手段は、図５に示すように、中間ピース３１又は端部ピース１２の底面自体に設けたスペーサ突起２６により構成するか、図示しないが、中間ピース３１及び端部ピース１２とは別体のスペーサ構体により構成すると好適である。
【００３３】
本発明によれば、フローリング平坦細条３が湿気を帯びて縦方向に膨張する場合には、図５の拡大断面図に示すように、フローリング平坦細条３は組立溝５に嵌合するＴ字状突条１６Ａ又は倒立Ｌ字状突条２１のフック部１５，２０に沿って摺動し、隙間もせり上がりも生ずることなく縦方向に伸張し、更に、フローリング平坦細条３が湿気を帯びて横方向方向に膨張する場合には、図５の拡大断面図に示すように、引張ばね１３の引張力に抗して隣接するピースを押し広げて隙間もせり上がりも生ずることなく横方向に伸張することができる。
【００３４】
図６には本発明の更に他の実施例である根太モジュール１０Ｃを示し、この実施例では、フローリング支持ピース１１である中間ピース３１の両側のフローリング支持面１４に設けるばね収容窪み１７、及び端部ピース１２のフローリング支持面１９に設けるばね収容窪み２２を、それぞれ２個設ける。
【００３５】
各フローリング支持面に設けるばね収容窪みは、上述の実施例のように１個又は２個のみならず、それ以上の数を設けることもできる。これら複数個のばね収容窪み２２におけるばね係止金具１８に引張ばね１３をかけ渡す。このような複数個の引張ばね１３によれば、ピース相互の横ずれを防止することができる。上述したように、ばね係止手段としてのばね収容窪み及びばね係止金具はフローリング支持面とは反対側のピース底面に設けることができる。更に、ばね係止金具を図２の実施の形態のようにピース側面に設けることもできる。
【００３６】
図６に示す実施例では、排水溝２４をフローリング平坦細条の縦方向に平行に設ける他に、フローリング平坦細条の横方向に平行に設けた排水溝２４′をも設ける。更に、図６の実施例では、ばね収容窪み１７又は２２の閉鎖端縁をアーチ状に形成する。
【００３７】
【発明の効果】
本発明フローリング根太構造の根太モジュールによれば、特殊な施工技術を必要とせず、組み立てが容易であるとともに、乾燥時に横方向及び縦方向に隣接させるフローリング平坦細条相互間に隙間を空けることなくフローリング平坦細条を敷き詰めて根太構造に組み付けることができ、仕上がりの見栄えをよくすることができる。
【００３８】
更に、本発明フローリング根太構造の根太モジュールによれば、フローリング平坦細条が湿気を帯びて縦方向に膨張しても、根太モジュールの倒立Ｌ字状突条及びＴ字状突条のフック部に沿って摺動することによりせり上がりを確実に回避することができ、またフローリング平坦細条が横方向に膨張しても、ピースを連結する引張ばねが伸張してピースが横方向に移動することによりせり上がりを確実に回避することができる。
【図面の簡単な説明】
【図１】  従来の根太構造にフローリング平坦細条を支持した状態を示す線図的説明図である。
【図２】  本発明根太構造の根太モジュールの好適な実施の形態の線図的分解斜視図である。
【図３】  本発明根太構造の根太モジュールの好適な実施例の線図的分解斜視図である。
【図４】  本発明根太構造の根太モジュールの他の好適な実施例の組立状態の線図的斜視図である。
【図５】  本発明根太構造の根太モジュールの好適な他の実施例の組立状態においてフローリング平坦細条が横方向に膨張したときの状態を示す線図的斜視図である。
【図６】  本発明根太構造の根太モジュールの好適な更に他の実施例の線図的斜視図である。
【符号の説明】
1  基礎表面
2  アンカーボルト
3  フローリング平坦細条
4  根太ピース
5  フローリング平坦細条の組立溝
6  根太ピースの組立溝
7  フック金具
8  フック金具の脚
9  ウェブ面
10  根太モジュール
10A,10B,10c 根太モジュール
11  フローリング支持ピース
12  端部ピース
12A 第１端部ピース
12B 第２端部ピース
13  引張ばね
14  フローリング支持面
15  フック部
16  フック突条手段
16A,16B Ｔ字状突条
17  ばね収容窪み
18  ばね係止金具
19  フローリング支持面
20  フック部
21  倒立Ｌ字状突条
22  ばね収容窪み
23  ばね係止金具
24  排水溝
25  掛合案内手段
26  スペーサ突起
31  中間ピース（フローリング支持ピース）
31A 第１中間ピース（フローリング支持ピース）
31B 第２中間ピース（フローリング支持ピース）
【図１】
0003641623.tif 000002
【図２】
0003641623.tif 000003
【図３】
0003641623.tif 000004
【図４】
0003641623.tif 000005
【図５】
0003641623.tif 000006
【図６】
0003641623.tif 000007